(57)【要約】【課題】剛性の弱い被包装物であっても確実に搬送することができてその後端側のフィルム溶着が正常に行えるようにする。【解決手段】１対のフィルムロール２００それぞれに対しロールブレーキ６２０，６３０を設けると共に、これらフィルムロールから繰り出されたフィルムのうちのナイフ側フィルムに対しても、このフィルムを挟持するナイフ側フィルムブレーキ６１０を設ける。そして、このナイフ側フィルムブレーキ６１０をＯＮとした後、被包装物を停止させて、被包装物を停止させる前にナイフ側ブレーキ６１０でナイフ側のフィルムにブレーキをかけることにより、そのフィルムのたるみをなくすようにする。【選択図】図１
2007210653.tif 000002
【特許請求の範囲】
【請求項１】
１対のフィルムロールから繰出されてその先端部分が前回の溶着動作で互いに溶着された２枚のフィルムの間に被包装物を挿入し、この被包装物をこれら２枚のフィルムと共に搬送した後一旦停止させてこれら２枚のフィルムをその被包装物の後端側及び幅方向両端側で熱溶着して密閉し、この後、搬送を再開して熱溶着した後端側部分で切り離し、前記２枚のフィルムで密閉された状態の被包装物を排出する包装装置であって、
一旦停止状態にある２枚のフィルムの被包装物後端側を熱溶着する溶着ナイフと
熱溶着の際に前記溶着ナイフを受け止めてこの溶着ナイフとの間に前記２枚のフィルムを挟み込むナイフ受けと、
を有し、
前記１対のフィルムロールから繰出されるフィルムのうちの、前記溶着ナイフ側となるフィルムに対し、ブレーキをかけるナイフ側ブレーキ手段と、前記１対のフィルムロールから繰出されるフィルムのうちの、前記ナイフ受け側となるフィルムに対し、ブレーキをかける受け側ブレーキ手段と、
前記溶着ナイフ及びナイフ受けによる被包装物後端側溶着部位と対応して配置され前記被包装物の後端を検知する後端検知手段と、
この後端検知手段からの検知信号により、前記ナイフ側ブレーキ手段をＯＮとした後、前記被包装物後端側溶着のために被包装物の搬送を停止させる制御手段と、
を設けたことを特徴とする包装装置。
【請求項２】
前記制御手段が、ナイフ側ブレーキ手段をＯＮにすると同時か、ＯＮにした後被包装物後端側溶着部位で停止するまでの間に、受け側ブレーキ手段をＯＮにするように制御することを特徴とする請求項１記載の包装装置。
【請求項３】
ナイフ側ブレーキ手段及び受け側ブレーキ手段のうちの少なくとも一方は、フィルムロールから繰出されたフィルムを挟持しながら回転するローラ対と、このローラ対の少なくとも一方の回転にブレーキをかけるブレーキ装置と、
を備えて成ることを特徴とする請求項１または請求項２記載の包装装置。
【請求項４】
ローラ対は、その少なくとも一方が樹脂ローラであることを特徴とする請求項３記載の包装装置。
【請求項５】
ローラ対は、フィルムロールから繰出されたフィルムの幅方向中央を中心として対称に配置されていることを特徴とする請求項３又は請求項４記載の包装装置。
【請求項６】
請求項１乃至請求項５のいずれか１項に記載の構成に加えて、溶着ナイフ側にフィルムを繰出すフィルムロールにブレーキをかけるナイフ側ロールブレーキ手段と、
ナイフ受け側にフィルムを繰出すフィルムロールにブレーキをかける受け側ロールブレーキ手段と、
を設け、
制御手段に、
ナイフ側ブレーキ手段がＯＮとなった後、予め定められた時間が経過した時に前記ナイフ側ロールブレーキ手段をＯＮとし、かつ、
受け側ブレーキ手段がＯＮとなった後、予め定められた時間が経過した時に前記受け側ロールブレーキ手段をＯＮとする制御機能を持たせたことを特徴とする包装装置。
【請求項７】
ナイフ側ロールブレーキ手段及び受け側ロールブレーキ手段をＯＮとする前記予め定められた時間は、被包装物に応じて変更できる構成であることを特徴とする請求項６記載の包装装置。
【発明の詳細な説明】
【技術分野】
【０００１】
本発明は包装装置に関し、特に新聞等の被包装物を２枚のフィルム間に挟み込んで密閉状態とする包装装置に関する。
【背景技術】
【０００２】
雨の日などでは、配達する新聞が雨でぬれないように、樹脂フィルムで密閉包装するのが通例となっているが、このため、新聞等の被包装物を２枚の樹脂フィルムで挟んだ後、その四方の辺部分を熱溶着して搬送、排出する包装装置が使用される。
【０００３】
このような包装装置について、図２（ａ），（ｂ）を参照して説明する。
この包装装置は、挿入口１１０ｘ及びガイド板１２０ｘを含み被包装物９００を挿入ガイドする挿入ガイド機構１００ｘと、被包装物９００をその両面から包装するフィルム２１０を繰り出す１対のフィルムロール２００と、これら１対のフィルムロール２００から繰り出されたフィルム２１０の間に挿入された被包装物９００に対し、その前端辺部分を検知する前端センサ３１０ｘ及び後端辺部分を検知する後端センサ３２０ｘを含むセンサ部３００ｘと、被包装物９００をその両面から包み込んだフィルム２１０に対し、その後端側及び両サイド側を溶着する溶着ナイフ４１０ｘ、ナイフ受け４２０ｘ及びサイド溶着部４３０ｘを含み、前回の後端側溶着部分が前端側となって被包装物９００を密閉状態に包装、溶着する溶着機構４００ｘと、フィルム２１０で両面から密閉、包装された被包装物９００を搬送して排出する搬送機構５００ｘと、を設けた構成となっている。
なお、この包装装置では、被包装物９００に対するフィルム２１０で密閉包装する動作過程が、図２（ａ）のように水平方向に配置されているが、図２（ｂ）のように縦型として更に多少傾斜させるように配置したものもある。
【０００４】
この包装装置における動作の制御は、図示されていない制御手段によって行われるが、以下、この制御動作について説明する。
被包装物９００が挿入ガイド機構１００ｘの挿入口１１０ｘから挿入されると、前端センサ３１０ｘでその先端が検知されて検知信号が出力される。
【０００５】
この検知信号により、搬送機構５００ｘが駆動されて、１対のフィルム２１０の、前回の溶着動作で溶着され、切断された部分を前方として被包装物９００が搬送される。
この後、後端センサ３２０ｘにより被包装物９００後端辺が検出されると、後端検知信号が出力され、この検知信号により搬送機構５００ｘは停止する。この状態で、溶着機構４００ｘが動作し、被包装物９００をその両面から挟持したフィルム２１０の、被包装物９００後端側部分及び両サイド部分が溶着される。
【０００６】
続いて、搬送機構５００ｘが再駆動され、その結果、溶着ナイフ４１０ｘ及びナイフ受け４２０ｘで溶着されたフィルム２１０の、被包装物９００後端側が溶着後間もないために切断され、包装済となった被包装物が装置外へと搬送、排出される。この切断された部分は、２枚のフィルム２１０がつながった状態となっており、次に包装される被包装物９００を待ち受けることになる（例えば、特許文献１参照）。
【特許文献１】特開２００４−３５９２８７号公報（図１，図１８）
【発明の開示】
【発明が解決しようとする課題】
【０００７】
上述した背景技術における包装装置では、前回の溶着動作で、２枚のフィルム２１０が溶着されて切断された部分が、先端側となって次の被包装物を待機するようになっており、この被包装物９００の重みで搬送機構５００ｘ方向へと移動するようになっているが、ここで、被包装物９００が剛性の弱い薄い新聞であると、フィルム２１０の先端部分を搬送機構５００ｘまで押し進める力が小さく、フィルムロール２００からフィルム２１０を繰り出すことができない、という問題点がある。この場合には、予め、フィルムロール２００からフィルム２１０を繰り出しておいて先端側となる溶着部分にかけてフィルム２１０をたるませておくとよい場合がある。
【０００８】
しかし、この場合、このたるみが無くならないまま搬送機構５００ｘに到達することもあり、その結果、被包装物９００後端部分の溶着のため、一旦停止したとき、被包装物の後端側にフィルム２１０のたるみが残ってしまうことがある。
そして、このたるみは、このたるみが重なった状態で溶着されることもあるので、見栄えが悪い上に、熱が十分に行き渡らないところもあって溶着が不十分な部分が出てしまう、即ち、完全な密閉状態にならないという問題点があった。
【０００９】
本発明の目的は、このような背景技術における問題点に鑑みて、剛性の弱い被包装物であっても、この被包装物を搬送機構まで到達させることができ、かつ、この被包装物の後端側にフィルムの溶着不十分な部分が発生するのをなくして完全密閉状態とすることができる包装装置を提供することにある。
【課題を解決するための手段】
【００１０】
本発明の包装装置は、１対のフィルムロールから繰出されてその先端部分が前回の溶着動作で互いに溶着された２枚のフィルムの間に被包装物を挿入し、この被包装物をこれら２枚のフィルムと共に搬送した後一旦停止させてこれら２枚のフィルムをその被包装物の後端側及び幅方向両端側で熱溶着して密閉し、この後、搬送を再開して熱溶着した後端側部分で切り離し、前記２枚のフィルムで密閉された状態の被包装物を排出する包装装置であって、
一旦停止状態にある２枚のフィルムの被包装物後端側を熱溶着する溶着ナイフと、
熱溶着の際に前記溶着ナイフを受け止めてこの溶着ナイフとの間に前記２枚のフィルムを挟み込むナイフ受けと、を有し、
前記１対のフィルムロールから繰出されるフィルムのうちの、前記溶着ナイフ側となるフィルムに対し、ブレーキをかけるナイフ側ブレーキ手段と、前記１対のフィルムロールから繰出されるフィルムのうちの、前記ナイフ受け側となるフィルムに対し、ブレーキをかける受け側ブレーキ手段と、
前記溶着ナイフ及びナイフ受けによる被包装物後端側溶着部位と対応して配置され前記被包装物の後端を検知する後端検知手段と、
この後端検知手段からの検知信号により、前記ナイフ側ブレーキ手段をＯＮとした後、前記被包装物後端側溶着のために被包装物の搬送を停止させる制御手段と、
を設けたことを特徴とする包装装置である。
【００１１】
また、前記制御手段が、ナイフ側ブレーキ手段をＯＮにすると同時か、ＯＮにした後被包装物後端側溶着部位で停止するまでの間に、受け側ブレーキ手段をＯＮにするように制御することを特徴とする前記包装装置である。
【００１２】
また、前記ナイフ側ブレーキ手段及び受け側ブレーキ手段のうちの少なくとも一方は、フィルムロールから繰出されたフィルムを挟持しながら回転するローラ対と、このローラ対の少なくとも一方の回転にブレーキをかけるブレーキ装置と、
を備えて成ることを特徴とする前記包装装置である。
【００１３】
また、前記ローラ対は、その少なくとも一方が樹脂ローラであることを特徴とする前記包装装置である。
【００１４】
また、前記ローラ対は、フィルムロールから繰出されたフィルムの幅方向中央を中心として対称に配置されていることを特徴とする前記包装装置である。
【００１５】
更に、前項のいずれか１項に記載の構成に加えて、溶着ナイフ側にフィルムを繰出すフィルムロールにブレーキをかけるナイフ側ロールブレーキ手段と、
ナイフ受け側にフィルムを繰出すフィルムロールにブレーキをかける受け側ロールブレーキ手段と、を設け、
制御手段に、ナイフ側ブレーキ手段がＯＮとなった後、予め定められた時間が経過した時に前記ナイフ側ロールブレーキ手段をＯＮとし、かつ、
受け側ブレーキ手段がＯＮとなった後、予め定められた時間が経過した時に前記受け側ロールブレーキ手段をＯＮとする制御機能を持たせたことを特徴とする前記包装装置である。
【００１６】
更にまた、前記ナイフ側ロールブレーキ手段及び受け側ロールブレーキ手段をＯＮとする前記予め定められた時間は、被包装物に応じて変更できる構成であることを特徴とする前記包装装置である。
【発明の効果】
【００１７】
本発明は、１対のフィルムロールそれぞれにロールブレーキ手段を設け、かつナイフ側フィルムに対してもナイフ側ブレーキ手段を設けて、このナイフ側ブレーキ手段をＯＮとした後、被包装物を停止させる、即ち、被包装物を停止させる前にナイフ側ブレーキ手段でナイフ側のフィルムにブレーキをかける構成となっているので、このことにより、被包装物の後端側のナイフ側フィルムに張力が生じ、このフィルムにたるみを持たせたとしてもこのフィルムがたるんで重なり合うような状態を無くすことができ、見栄えの向上をはかることができ、かつ、完全密閉状態を確保することができる。（新聞などの被包装物と搬送面との間に挟まれるナイフ受け側のフィルムよりも、フリー状態にあるナイフ側のフィルムの方がたわみやすいので、ナイフ側のフィルムにブレーキをかけることにより、こちら側のみ「被包装物が一旦停止する前に」このブレーキ作用を完了させればその効果があるものと考えられるので、受け側のブレーキ作用は必ずしも「被包装物が一旦停止する前に」完了させなければならないわけではなく、従って、請求項１では、まず、ナイフ側のフィルムにブレーキをかけるようにした。）
【００１８】
請求項２における作用効果は、ナイフ受け側のフィルムは被包装物と搬送面とに挟まれているためたるみにくいので、ナイフ側ブレーキ手段のブレーキ動作を、受け側ブレーキ手段のブレーキ動作より早く行うようにすることにより、ナイフ側、受け側ともバランスよく張力を与えることができる、ということである。
【００１９】
請求項３における作用効果は、ブレーキ手段をローラ対としてこのローラ対でフィルムを挟む構造とすることにより、ブレーキ作用をより一層確実なものとすることができる、ということである。
【００２０】
請求項４における作用効果は、ローラ対の少なくとも一方を樹脂で形成することにより、ブレーキが動作してフィルムがわずかにスリップしたとしても、フィルムに傷をつけることがない、という点である。
【００２１】
請求項５における作用効果は、ローラ対がフィルムの幅方向に対してその中央を中心として対称に配置されているので、フィルムの幅方向に対し偏りなくブレーキを作用させることができる、という点である。
【００２２】
請求項６における作用効果は、ナイフ側ブレーキ手段、又は受け側ブレーキ手段とは別に、各フィルムロールにもロールブレーキを持たせ、ナイフ側ブレーキ手段、又は受け側ブレーキ手段が作用して一定時間後にロールブレーキが作用するようにしているので、ナイフ側ブレーキ手段、受け側ブレーキ手段とフィルムロールとの間で、次の被包装物挿入に備えたたわみを形成することができ、腰の弱い被包装物でも容易に挿入、搬送ができる、という点である。
【００２３】
請求項７における作用効果は、請求項６における一定時間を包装内容に応じて可変としているので、この時間を、腰の強い厚めのものには短かめにしてたわみを少なめとすることにより、たわんだまま搬送される余地を少なくし、また、腰の弱いものには長めにして、たわみを多めとすることにより、容易に被包装物を包装、搬送、排出できるようにした、という点である。
【発明を実施するための最良の形態】
【００２４】
本発明を実施するための最良の形態は、一旦停止状態にある２枚のフィルムに対し、その被包装物の後端側及び幅方向両端側部分を熱溶着する溶着ナイフ及びナイフ受けと、１枚のフィルムロールから繰出されるフィルムのうちの、溶着ナイフ側となるフィルムにブレーキをかけるナイフ側ブレーキ手段と、ナイフ受け側となるフィルムにブレーキをかける受け側ブレーキ手段と、被包装物の後端を検知する後端検知手段からの検知信号により、ナイフ側ブレーキ手段をＯＮにした後、被包装物後端側溶着のためにこの被包装物の搬送を停止させる制御手段と、を有し、この制御手段による制御の更に具体的、詳細は、ナイフ側ブレーキ手段をＯＮにすると同時に、ＯＮにした後被包装物後端側溶着部位で停止するまでの間に、受け側ブレーキ手段をＯＮにするようにした構成を有している。
【００２５】
また、ブレーキ手段としては、１対のフィルムロールそれぞれにブレーキをかける手段と、フィルムロールから繰り出されたフィルムのうちの一方に、ローラ対で挟み込んでブレーキをかける手段とを有しており、このローラ対の一方は樹脂で形成され、繰り出されたフィルムの幅方向中央をと中心として対称に配置されている。
【実施例】
【００２６】
次に本発明の実施例について図面を参照して説明する。
図１（ａ），（ｂ）は本発明の一実施例を示す側面図及びその反対側から見た側面図である。
この実施例における包装装置は、１対のフィルムロール２００から繰り出されて、その先端部分が前の回の溶着動作で互いに溶着された２枚のフィルム２１０の間に、被包装物（９００、図示省略）を挿入し、この被包装物を２枚のフィルム２１０と共に搬送した後、一旦停止させてこれら２枚のフィルム２１０をその被包装物の後端側及び幅方向両端側で熱溶着して密閉し、この後、搬送を再開して熱溶着した後端側部分で切り離し、被包装物を２枚のフィルム２１０で密閉された状態として排出する構成を有し、
一旦停止状態にある２枚のフィルム２１０の、被包装物後端側及び幅方向両端側部分を熱溶着する溶着ナイフ４１０及びナイフ受け４２０と、これら溶着ナイフ４１０及びナイフ受け４２０の、上流側に設けられて被包装物の前側を検知する前端センサ３１０と、下流側に設けられて被包装物の後端側を検知する後端センサ３２０と、１対のフィルムロール２００から繰り出されたフィルムのうちの、溶着ナイフ４１０側となるフィルム２１０を挟み込んでこれにブレーキをかけるナイフ側フィルムブレーキ６１０、並びに１対のフィルムロール２００それ自体にブレーキをかけるナイフ側ロールブレーキ６２０及び受け側ロールブレーキ６３０と、２枚のフィルム２１０の間に挿入された被包装物を搬送、停止制御する、搬送ローラ５１０を含む搬送機構５００と、被包装物を挿入口１１０から挿入してガイドする挿入ガイド機構１００と、を有する構成となっており、前端センサ３１０及び後端センサ３２０でセンサ部３００を形成し、溶着ナイフ４１０及びナイフ受け４２０で溶着機構４００を形成し、ナイフ側フィルムブレーキ６１０並びにナイフ側ロールブレーキ６２０及び受け側ロールブレーキ６３０でブレーキ機構６００を形成している。
【００２７】
また図示されていないが、この包装装置には、前端センサ３１０及び後端センサ３２０から検知信号に基づいて、搬送、溶着などの動作を含む各部動作を制御する制御手段が設けられおり、この制御手段により、後端センサ３２０からの検知信号に基づいて、ナイフ側フィルムブレーキ６１０をＯＮとした後、被包装物後端側を溶着するため、被包装物及びフィルムの搬送を停止させるようになっている。また、ナイフ側フィルムブレーキ６１０をＯＮにすると同時か、ＯＮにした後被包装物後端側溶着部位で停止するまでの間に、受け側ロールブレーキ６３０をＯＮにするようにしてもよい。
【００２８】
また、ナイフ側ロールブレーキ６１０は、フィルムロール２００から繰り出されたフィルム２１０を挟持する１対のローラから成り、しかもこれらローラ対のうちの一方は樹脂製となっている。また、フィルムロール２００から繰り出されたフィルム２１０に対し、その幅方向中央を中心として、対称に配置されている。
このような構成とすることにより、前述した［発明の効果］における、主要な効果が得られる。
【図面の簡単な説明】
【００２９】
【図１】本発明の一実施例を示す側面図及びその逆側から見た側面図である。
【図２】背景技術における包装装置２例の側面図である。
【符号の説明】
【００３０】
１００，１００ｘ  挿入ガイド機構
１１０，１１０ｘ  挿入口
２００  フィルムロール
２１０  フィルム
３００，３００ｘ  センサ部
３１０，３１０ｘ  前端センサ
３２０，３２０ｘ  後端センサ
４００  溶着機構
４１０，４１０ｘ  溶着ナイフ
４２０，４２０ｘ  ナイフ受け
４３０ｘ  ガイド溶着部
５００，５００ｘ  搬送機構
５１０  搬送ローラ
６００  ブレーキ機構
６１０  ナイフ側フィルムブレーキ
６２０  ナイフ側ロールブレーキ
６３０  受け側ロールブレーキ
【図１】
2007210653.tif 000003
【図２】
2007210653.tif 000004